【手続補正書】
【提出日】平成24年6月14日(2012.6.14)
【手続補正１】
【補正対象書類名】明細書
【補正対象項目名】０００７
【補正方法】変更
【補正の内容】
【０００７】
本発明が提供する暖房、換気及び空調システムは、通過する気流を調整する可変通気口と、前記可変通気口を制御するアクチュエータと、前記アクチュエータにエネルギを供給し、前記アクチュエータの作動に必要なエネルギを周囲の環境から得る環境エネルギ収集機構と、状態情報を検出して通信するセンサと、前記センサにより検出されて通信された前記状態情報に基づき、前記アクチュエータを制御するコントロールユニットと、前記アクチュエータ、前記センサ及び前記コントロールユニットが相互に無線通信を行う無線通信装置とを備えることを特徴とする。
【手続補正２】
【補正対象書類名】特許請求の範囲
【補正対象項目名】全文
【補正方法】変更
【補正の内容】
【特許請求の範囲】
【請求項１】
通過する気流を調整する可変通気口と、
前記可変通気口を制御するアクチュエータと、
前記アクチュエータにエネルギを供給し、前記アクチュエータの作動に必要なエネルギを周囲の環境から得る環境エネルギ収集機構と、
状態情報を検出して通信するセンサと、
前記センサにより検出されて通信された前記状態情報に基づき、前記アクチュエータを制御するコントロールユニットと、
前記アクチュエータ、前記センサ及び前記コントロールユニットが相互に無線通信を行う無線通信装置と
を備えることを特徴とする暖房、換気及び空調システム。
【請求項２】
中央コントロールユニットが、複数のコントロールユニットに情報を供給するように構成され、前記複数のコントロールユニットのそれぞれは、少なくとも１つのセンサにより検出されて通信された少なくとも１つの状態情報に基づき、少なくとも１つのアクチュエータを制御するように構成され、
前記中央コントロールユニットは、プログラムに従い、及びまたは前記センサによって供給された前記状態情報に応じ、前記アクチュエータを個別に制御することを特徴とする請求項１に記載の暖房、換気及び空調システム。
【請求項３】
前記環境エネルギ収集機構は、温度差または温度変化を利用する熱電発電装置であることを特徴とする請求項１または２に記載の暖房、換気及び空調システム。
【請求項４】
前記温度差は、前記可変通気口の内側と外側との温度差であることを特徴とする請求項３に記載の暖房、換気及び空調システム。
【請求項５】
前記エネルギ収集機構は、
気流の運動エネルギと、
屋内光または太陽光からなる環境光と、
前記暖房、換気及び空調システム自身によって供給されるエネルギと
の１つに基づくエネルギを変換することを特徴とする請求項１または２に記載の暖房、換気及び空調システム。
【請求項６】
前記エネルギ収集機構によって変換されたエネルギを蓄えるエネルギ蓄積手段を更に備えることを特徴とする請求項１〜５のいずれか１つに記載の暖房、換気及び空調システム。
【請求項７】
前記エネルギ蓄積手段は、蓄電器、充電式蓄電池、または機械的蓄積手段であることを特徴とする請求項６に記載の暖房、換気及び空調システム。
【請求項８】
前記センサにより検出されて通信される前記状態情報は、
屋内空気の非汚染度と、
一酸化炭素、二酸化炭素、及びまたは煙の濃度と、
窓、ドア、及びその他の設備の状態と、
室温と、
湿度と、
人間及びまたは動物の存在情報と、
前記通気口から放出される空気の温度と、
露点と、
温度、気流速度、及びモータ速度といった暖気及び冷気発生システムのパラメータと、
空気流量と相関する前記可変通気口の位置と
のうちの少なくとも１つであることを特徴とする請求項１〜７のいずれか１つに記載の暖房、換気及び空調システム。
【請求項９】
前記センサは、前記エネルギ収集機構により自己給電されることを特徴とする請求項１〜８のいずれか１つに記載の暖房、換気及び空調システム。
【請求項１０】
前記コントロールユニットは、
供給する空気の温度、
供給する空気の気流速度、及びまたは
前記気流の方向
を制御することを特徴とする請求項１〜９のいずれか１つに記載の暖房、換気及び空調システム。
【請求項１１】
前記アクチュエータは、電動モータ、機械的スプリング、または気流の力によって駆動されることを特徴とする請求項１〜１０のいずれか１つに記載の暖房、換気及び空調システム。
【請求項１２】
前記電動モータはステップモータであることを特徴とする請求項１１に記載の暖房、換気及び空調システム。
【請求項１３】
前記通気口は、より古い通気口と交換可能な大きさを有していることを特徴とする請求項１に記載の暖房、換気及び空調システム。
【請求項１４】
請求項１〜１３のいずれか１つに記載の暖房、換気及び空調システムを運転する方法であって、
前記センサにより、周期的に状態情報を検出して前記コントロールユニットに通信する工程と、
前記アクチュエータにより、周期的に実際の通気口位置を前記コントロールユニットに通信する工程と、
前記実際の通気口位置を、前記状態情報及び少なくとも１つの予め設定された値とから前記コントロールユニットによって演算された目標通気口位置と比較する工程と、
前記比較の結果に応じ、前記アクチュエータを用いて前記通気口を最新の位置とする工程と
を備えることを特徴とする暖房、換気及び空調システムの運転方法。
【請求項１５】
前記センサは、周期的にパワーセーブモードから起動して前記状態情報を検出し前記コントロールユニットに通信することを特徴とする請求項１４に記載の暖房、換気及び空調システムの運転方法。
【請求項１６】
前記アクチュエータは、確認メッセージを送出し、所定期間にわたり、自身の位置を最新の位置に更新するべく前記コントロールユニットによりバッファに保持されて送信されるメッセージを受信するための待ち受け状態となることを特徴とする請求項１４または１５に記載の暖房、換気及び空調システムの運転方法。
【請求項１７】
前記アクチュエータは、
前記コントロールユニットに前記確認メッセージを送り、
前記コントロールユニットからバッファに保持された前記メッセージを受信し、且つ
前記通気口を最新の位置とする
ために十分な長さに設定された前記所定期間にわたり起動状態となる一方、前記所定期間外ではスリープモードとなることを特徴とする請求項１６に記載の暖房、換気及び空調システムの運転方法。
【請求項１８】
前記アクチュエータは段階的に位置が変更されることを特徴とする請求項１４〜１７のいずれか１つに記載の暖房、換気及び空調システムの運転方法。
【請求項１９】
周囲の環境からエネルギを収集し、当該エネルギを前記エネルギ蓄積手段に蓄える工程と、
前記センサからの前記状態情報を受信して前記実際の通気口位置を前記目標通気口位置と比較するために前記コントロールユニットを起動する工程と、
前記比較の結果に応じて前記通気口を最新の位置とする工程と、
前記コントロールユニットを、少なくとも部分的に非作動状態とする工程と
を更に備えることを特徴とする請求項１４〜１８のいずれか１つに記載の暖房、換気及び空調システムの運転方法。
【請求項２０】
対象温度調整ゾーン内の空気よりも、屋外または他の温度調整ゾーンからの空気が冷たい場合には、前記屋外または他の温度調整ゾーンからの空気を当該対象温度調整ゾーンの冷房に使用し、
前記対象温度調整ゾーン内の空気よりも、前記屋外または他の温度調整ゾーンからの空気が暖かい場合には、前記屋外または他の温度調整ゾーンからの空気を当該対象温度調整ゾーンの暖房に使用する
ことを特徴とする請求項１４〜１９のいずれか１つに記載の暖房、換気及び空調システムの運転方法。
【請求項２１】
前記可変通気口は、夜間及び早朝において前記対象温度調整ゾーンを冷房する場合に、自動的に開動されることを特徴とする請求項２０に記載の暖房、換気及び空調システムの運転方法。